(57)【要約】【課題】  従来の移動式であって、回動するタイプの小物陳列ケースは、すこし狭い場所に設置すると回動させにくくなる。また、扉が付いたものは、ほこりが入らず好ましいものであるが、開いている時に引っ掛かりやすいため怪我をさせてしまうこととなったり、ケース転倒の原因となりやすかった。【解決手段】  円柱状或いは正多角形状外表面を呈する物品収納体と、該物品収納体の外表面を平面視円弧状に覆う少なくとも１枚の透明カバーを有する小物陳列ケースであって、該物品収納体には、収納陳列する小物の形状に合わせた凹部が放射状に複数設けられたもの。【選択図】  図１
2007021069.tif 000002
【特許請求の範囲】
【請求項１】
円柱状或いは正多角形状外表面を呈する物品収納体と、該物品収納体の外表面を平面視円弧状に覆う少なくとも１枚の透明カバーを有する小物陳列ケースであって、該物品収納体には、収納陳列する小物の形状に合わせた凹部が放射状に複数設けられたものであることを特徴とする小物陳列ケース。
【請求項２】
該凹部は、プラスチック発泡体によって形成されたものである請求項１記載の小物陳列ケース。
【請求項３】
該物品収納体は、高さ方向で分割された多段構造体であり、各段が独立して回動可能なものである請求項１又は２記載の小物陳列ケース。
【請求項４】
該物品収納体は、中空部分を含む概ね筒形状のものである請求項１、２又は３記載の小物陳列ケース。
【発明の詳細な説明】
【技術分野】
【０００１】
本発明は、小物商品、特に、印章や絵の具、口紅、眼鏡、印章付き筆記具といった同形状多種類の商品を陳列するのに適したケースの構造に関するものである。
【背景技術】
【０００２】
予め名字が（多くは機械彫りによって）彫られた「三文判」と呼ばれる印章、或いは浸透ゴム製で内部にインクを収納しており朱肉不要の簡易印章は、できるだけ多種の名字が用意されていることが要件であるので、少なくとも数百、場合によっては千を超える種類の名字が陳列されることになる。
【０００３】
そしてこれらの印章は、店舗壁面に収納される固定式のものもあるが、多くは移動式の陳列ケースに収納されている。一般的な陳列ケースは、回転式であり、希望する名字を探しやすくするため、あいうえお順に整然と並べられ、且つ個々を視認しやすいように透明樹脂製扉で覆うよう構成されている。
【０００４】
ケースの全体形状は、断面が正方形の概ね四角柱状であり、また購入者が移動することなくこの四角柱の四側面全てを見ることができるように鉛直中心線を軸に可回動となっていることが多い。更に通常は、店舗内の又は店頭への小移動を目的に、ケース下部にキャスターが取設されている。
【発明の開示】
【発明が解決しようとする課題】
【０００５】
ところがこうした従来の印章用陳列ケースの場合には、次のような問題がある。先ず、設置されている場所によっては、ケースを回動させにくい、という点である。四角柱のものであるので、その断面を構成する正方形の一辺分の幅と奥行さえ確保できれば、どのように狭い場所であっても設置できるわけであるが、少なくとも該正方形の対角線の長さが確保できていなければ回動させることはできない。
【０００６】
更に、透明樹脂製扉を具備するタイプのものの場合、これを開いて商品（目当ての印章）を取り出すことになるが、扉開放のために要する空間を確保するのが困難な状況があるし、扉が開いている状態は、この開いた扉に人や物が当たりやすくなっており、転倒しやすい状況が形成されることになる。
【課題を解決するための手段】
【０００７】
そこで本発明者はこうした現状に鑑み鋭意研究の結果、遂に本発明を成したものでありその特徴とするところは、円柱状或いは正多角形状外表面を呈する物品収納体と、該物品収納体の外表面を平面視円弧状に覆う少なくとも１枚の透明カバーを有する小物陳列ケースであって、該物品収納体には、収納陳列する小物の形状に合わせた凹部が放射状に複数設けられたものである点にある。
【０００８】
ここで「物品収納体」とは、既述したように印章、絵の具、口紅、眼鏡、印章付き筆記具等の小物商品を整列させつつ収納陳列するための部材であって、円柱状或いは正多角形状外表面を呈する。内部に関しては、中空であることが軽量化という点では好ましいが、詳細については何ら限定しない。また、通常は自身の鉛直中心軸を回転軸として回動可能なものであるが、後述する「透明カバー」を回動させるようにし、物品収納体側は回動しないという構造であっても良い。
【０００９】
この物品収納体には、収納陳列する小物の形状に合わせた凹部が放射状に複数設けられている。この凹部の構造は、格子桟の如き構造によって形成しても良いが、発泡プラスチック円筒状体に多数の貫通孔或いは凹穴を開けたものとし、この孔の形状や大きさを収納陳列せんとする物品の形よりごくわずか小さく設定しておくと、各物品を収納する際には一つずつ押し込むことにはなるが、物品を保護することになるし、格子桟状のものとは違いケースが回動しても物品が桟の壁面に当たって音をたてるということもない。また、発泡プラスチックの性質によっては、切り込みを入れておき、ここに各物品を収納することも可能である。なお、印章の場合のように各物品がどのようなものであるのかを示す記載（印章の場合であれば刻された名字）が必要であるならば、発泡プラスチックの表面をプラスチックシートで被覆するようにしておくと便利である（但しこのシートの存在は必須ではないので、設けていないものも本発明に含まれるものとする）。この場合、上記凹部に合致する孔がこのプラスチックシートにも設けられていることは言うまでもない。上記記載は、予めプラスチックシート上に印刷されていても良いし、別体のシールに記載を施しこれを貼着するようにしても良い。なお発泡プラスチックの採用は不可欠ではなく本発明を限定するものではない。発泡していないプラスチックや木材、紙製、等々種々の材質が採用可能である。
【００１０】
「透明カバー」は、内部が容易に視認できるだけの透明性を有する材質のもので構成された部材であり、平面視円弧となっている。この透明カバーは、物品収納体に対して回動することが要件であるが、透明カバーが回動するか物品収納体が回動するか、或いは双方が回動するか、に関しては特に限定しない。ただ、本発明に係る小物陳列ケースが、放射状全方向から自由に取り出せるものであるには、双方（透明カバー及び物品収納体）が自由に回動できるものが最適である。
【００１１】
透明カバーが回動するタイプのものの場合に、この透明カバーを２枚以上設けるようにし、１枚を蓋体とすると好適である。この場合本体となる透明カバーと蓋体となる透明カバーそれぞれは他の回動運動を阻害しないように、それぞれ僅かずつ異なる径とすることが好ましい。またこの場合透明カバーは、円周上を摺動するわけであるが、同時に、このカバーの内部空間にある「物品収納体」もまた回動自在とさせるには、カバーの摺動と物品収納体の回動とは独立して行えるものでなければならない。そこで、例えば物品収納体の径よりも大きい径の円板上に物品収納体を同心位置となるように固定し、この径の差に当たる鍔部分に透明カバーのレールを設けると、円板を回動させて物品収納体を回動させ、次いで物品収納体を回動させずに透明カバーを摺動させることができる。或いは、この円板を物品収納体の天面側に設け、透明カバーを摺動可能に吊持するようにしても同様である。
【００１２】
本発明に係る小物陳列ケースは、このような構成の「物品収納体」及び「透明カバー」とにより成り立つものであるが、付随する部材を伴っていても良い。例えば、ケース移動のためのキャスター、このキャスターを取設するための脚、等々がそうした部材に該当する。更に、「物品収納体」と「透明カバー」の組合せを上下に２段又は３段程度に積層するようにすると、必要最小限の操作で商品を取り出すことができて能率的である。
【００１３】
またこうした小物陳列ケースは、既述したように店舗内を、或いは店頭へ、移動させて設置することが多いのでできるだけ軽量にすることが望まれる。そのために、各構成部材の材質に軽量なものを選択する、物品収納体を中空構造とする、等々の手法を適宜採用すると好ましい。
【発明の効果】
【００１４】
本発明に係る小物陳列ケースは、以下述べる如き種々の効果を有する極めて高度な発明である。
（１）  全体形状が、概ね円柱形であるので、今まで設置できなかったような狭い場所に置いても、支障なく回動させることができる。
（２）  物品収納体を円筒状の透明カバーで覆うという形状は、斬新であって訴求力が強く、よって大きな販売効果が期待できる。
（３）  カバーを開く時、或いは本体を回動させる時に、元来の円柱形状から突出する部分がないので、そうしたものに引っ掛かることによる怪我、或いは本体の破損の可能性はほとんどない。
【発明を実施するための最良の形態】
【００１５】
以下図面に基づいて本発明をより詳細に説明する。
【実施例１】
【００１６】
図１は、本発明に係る小物陳列ケース１（以下「本発明ケース１」という）の一例を示すものであり、図より明らかなように本例の本発明ケース１は、７０００本程度の印章を収納陳列するためのケースであり、概ね円柱状をした可回動部分と、その下部の不動部分とにより構成されている。
【００１７】
可回動部分は、台座２、物品収納体３、透明カバー４及び天板５とによって成るものであり、台座２は直径６００ｍｍの円板の中央を切欠させた幅１５０ｍｍのドーナツ状の板であり、ここに直径５００ｍｍの物品収納体３が固定され、更にこの物品収納体３に天板５が固定されている。従って本例の本発明ケース１の場合、台座２と物品収納体３と天板５は一体物として共動することになる。透明カバー４は、台座２の外縁部全周にわたって設けられたレール溝２１に嵌め込まれた厚さ０．５ｍｍ程度の透明樹脂板であって、ところどころ開放された円筒状のものである。この透明カバー４は、戸車を有しておりレール溝２１上を手動で自在にスライドさせることができる。図には描出されていないが、天板５の下面にもこのレール溝２１と対向する位置に凹溝が設けられており透明カバー４の摺動を規制している。またこの透明カバー４の開放されている部分には、アルミニウム製の把手４１が取設されている。
【００１８】
不動部分は、可回動部分全体を支持する支持台６と、該支持台６に固定される五本の脚７、及び各脚７の下端に取設されるキャスター８とにより構成されている。本例では支持台６は、これより上方の可回動部分をベアリング支持することで円滑な回動を図ったがこれに限定せず他の連結方法を採用しても良い（図示せず）。更に、本例で採用したキャスター８はストッパーを具備しており、本発明ケースを所定位置に移動させた後にはそこに留まっているというものであるが、他の方式を採用しても良いし（図示せず）、そもそもキャスターの存在自体が本発明の必須要件ではないので省略可能な部材である。
【００１９】
こうした構造とすることで、本例のような７０００本収納サイズのケースの重量は、印章重量（約３０ｋｇ）込みで、従来の典型的なものの重量が約９６ｋｇであったのに対し本発明ケースの場合には４６ｋｇとなり軽量なものとなった。
【００２０】
次に図２は、物品収納体３の一部を示すものである。本例の物品収納体３は、強度付与をも目的とする円筒形芯材３１の外表面に、厚さ約３０ｍｍの発泡プラスチック（本例では発泡ポリウレタン）製平板材である印章保持材３２を接着一体化して円筒状としたものである。円筒形芯材３１に平板を接着して円筒状とするという手法を採らず、発泡プラスチックが予め円筒状に形成されているという場合には円筒形芯材３１は省略できる（図示せず）。またこの印章保持材３２には多数の孔３３が整然と設けられており、ここに印章Ｓが差し込まれる。また図示した例では、孔３３には底が存在しているが、完全に貫通した孔とし、印章を一部内部空間に突き出させておくようにすると、印章保持材３２の厚さは例えば１０ｍｍ程度まで小さくすることができる。
【００２１】
図の例では印章Ｓの頭部分（印刻されていない方）に印刻されている名字を印刷したシールが貼着されているので、目当ての印章はこのシールの記載を見て探し出すことができる。しかし、このようなシール等が設けられていない場合もあるし、シールがたとえあったとしても販売されて空所となった孔３３に補充する印章が何という名字なのか明確にしておくという意味で、物品収納体３表面に名字が記載されていることが好ましい。そこで本例のように、印章保持材３２の表面をプラスチックシート３４で被覆するようにし、ここに名字を直接印刷したり、或いは図のように名字が印刷されたシール３５を貼着すると好適である。勿論このプラスチックシート３４には予め印章保持材３２の孔３３に合致する孔が設けられている。またこのプラスチックシート３４の存在は本発明を限定するものではないので設けないものも本発明に含まれる。これに代わる方策として例えば、発泡プラスチック製の板材の片面を僅かに溶融させるなどして変質させ、それによって平滑で緻密な表層を形成する方法等がある。
【００２２】
図３は、本発明ケース１の他の例として、透明カバー４の切欠部分を適宜塞ぐことのできる窓カバー４２を付設したものを示す。この窓カバー４２は、構造的には透明カバー４と等しく、透明であり、台座２に刻されたレール溝上を摺動するものであるが、摺動面が透明カバー４の外側であるので、レール溝は台座２上に二列となる。窓カバー４２で透明カバー４の切欠部分を塞ぐことによって、その内部空間を閉じることができ埃等の侵入が防止できる。
【００２３】
図４は、本発明ケース１の更に他の例を示すものである。これまで、透明カバー４は回動自在なものとして説明してきたが、本例ではこれを固定し、物品収納体３のみが回動するという例である。本例の場合は、脚７に据えられた支柱９に透明カバー４が固定されており、それによって透明カバー４は不動部材の一つとなっている。透明カバー４の上端には円板１０が該支柱９を軸に回動自在に取設されており、また円板１０の下面には複数の戸車１１が設けられ透明カバー４の上端に嵌められている。物品収納体３はこの円板１０に固定された状態で透明カバー４の底面にベアリング支持されている。このような構造であるので、円板１０の外縁に設けられた鍔状把手１２を手掛かりにこれを回動させれば、物品収納体３が回動することになる。
【００２４】
更に、逆に透明カバー４は回動するが、物品収納体３は不動部材となっているという構造としても良い。この場合、構造は極めてシンプルなものとなる（図示省略）。
【００２５】
図５は、本発明ケース１を展示するのに必要なスペースと、従来の断面正方形で扉付きの印章ケースを展示するのに必要なスペースを比較したものである。同図（ａ）は、従来のケースであって、１辺ａの正方形の各辺に幅ａの扉Ｄが嵌め込まれていると仮定する。同図（ｂ）は、本発明ケース１であって本例では比較しやすいように、１辺ａの正方形で物品収納体３を形成しこの正方形の外接円が透明カバー４であるとする。
すると物品収納体が回動しつつ扉Ｄも自由に開閉できるためには、ａ＋ａ×２-0.5を半径とする円が必要スペースとなる。
対して同図（ｂ）の場合（即ち本発明の場合）には、設置面積であるａ×２-0.5を半径とする円があれば、自由に物品収納体を回動させること、自由に商品を取り出すことが可能である。
【００２６】
なおここまで、印章を収納陳列するためのケースとして説明してきたが、口紅や絵の具等の小物の場合にも概ね同様の構造のもので好適な構造の小物陳列ケースとなる。
【図面の簡単な説明】
【００２７】
【図１】本発明に係る小物陳列ケースの一例を示す概略分解斜視図である。
【図２】本発明に係る小物陳列ケースの物品収納体の構造の一例を示すための、一部を切欠した概略斜視図である。
【図３】本発明に係る小物陳列ケースの透明カバーの構造に関する他の例を示す概略斜視図である。
【図４】本発明に係る小物陳列ケースの更に他の例を示す概略断面図である。
【図５】（ａ）（ｂ）は、本発明に係る小物陳列ケースと、従来の典型的な陳列ケースとを設置する際に必要となるスペースを比較するためのいずれも概略平面図である。
【符号の説明】
【００２８】
１    本発明に係る小物陳列ケース
２    台座
２１  レール溝
３    物品収納体
３１  円筒形芯材
３２  印章保持材
３３  孔
３４  プラスチックシート
３５  シール
４    透明カバー
４１  把手
４２  窓カバー
５    天板
６    支持台
７    脚
８    キャスター
９    支柱
１０  円板
１１  戸車
１２  鍔状把手
Ｓ    印章
Ｄ    扉
ａ    正方形の１辺
【図１】
2007021069.tif 000003
【図２】
2007021069.tif 000004
【図３】
2007021069.tif 000005
【図４】
2007021069.tif 000006
【図５】
2007021069.tif 000007